(57)【特許請求の範囲】
【請求項１】
第１の端子部、第２の端子部及び第３の端子部からなる３つの端子部と、
前記第１の端子部と前記第２の端子部の間に接続され当該第１の端子部と当該第２の端子部の間のオンオフを切り替えて電源から負荷への電源供給のオンオフを切り替える負荷開閉部と、
操作部と、
内部接点部を有し、当該内部接点部が電源電圧になったこと又は前記操作部に対して操作が行われたことの何れかを検出するごとに前記負荷開閉部を制御して当該負荷開閉部のオンオフを切り替える制御手段と、
前記第３の端子部と前記第２の端子部の間の接続と、前記第３の端子部と前記内部接点部の間の接続とを択一的に選択可能とする接続部材と
を備えることを特徴とするスイッチ。
【発明の詳細な説明】
【技術分野】
【０００１】
本発明は、負荷への電源供給を制御するスイッチに関するものである。
【背景技術】
【０００２】
負荷への電源供給を制御する従来のスイッチとして、図９（ａ）に示すように、交流電源ＡＣと照明負荷Ｌに直列接続され上記照明負荷Ｌへの電源供給のオンオフを切り替えるスイッチ６０がある（例えば特許文献１など）。また、図９（ａ）に示すように単独で用いられるのではなく、図９（ｂ）に示すように子器Ｂとともに用いられるスイッチ６１がある。図９（ｂ）の回路構成では、スイッチ６１への操作が行われたときや子器Ｂへの操作が行われたときに、照明負荷Ｌへの電源供給のオンオフを切り替えることができる。
【特許文献１】特開２００６−１７９３５０号公報（段落００５０及び図４）
【発明の開示】
【発明が解決しようとする課題】
【０００３】
しかしながら、図９（ａ）に示す単独で用いられるスイッチ６０と、図９（ｂ）に示す子器Ｂとともに用いられるスイッチ６１は、それぞれ内部回路が異なるため、スイッチ６０とスイッチ６１を別々に作製して用意しなければならなかった。その結果、スイッチ６０，６１ごとに異なる種類のプリント配線板を作製しなければならず、プリント配線板の金型などへの投資が大きくなり、コスト（単価）を下げることができないという問題があった。
【０００４】
また、従来のスイッチ６０，６１では、異なる回路構成に変更する場合、これまで使用していたスイッチ６０（６１）を再利用することができず、対応するスイッチ６１（６０）を新規に購入しなければならないという問題があった。
【０００５】
本発明は上記の点に鑑みて為されたものであり、その目的は、作製時における設備投資を低減してコストを下げることができるとともに使用状態を変更する場合に再利用を可能とするスイッチを提供することにある。
【課題を解決するための手段】
【０００６】
請求項１の発明は、第１の端子部、第２の端子部及び第３の端子部からなる３つの端子部と、前記第１の端子部と前記第２の端子部の間に接続され当該第１の端子部と当該第２の端子部の間のオンオフを切り替えて電源から負荷への電源供給のオンオフを切り替える負荷開閉部と、操作部と、内部接点部を有し、当該内部接点部が電源電圧になったこと又は前記操作部に対して操作が行われたことの何れかを検出するごとに前記負荷開閉部を制御して当該負荷開閉部のオンオフを切り替える制御手段と、前記第３の端子部と前記第２の端子部の間の接続と、前記第３の端子部と前記内部接点部の間の接続とを択一的に選択可能とする接続部材とを備えることを特徴とする。
【発明の効果】
【０００７】
請求項１の発明によれば、単独で用いられる場合には接続部材によって第３の端子部と第２の端子部の間の接続を選択する一方、子器とともに用いられる場合には接続部材によって第３の端子部と内部接点部の間の接続を選択することによって、単独で用いられるスイッチと子器とともに用いられるスイッチを共用化することができるので、２種類のスイッチを別々に作製する場合に比べて、作製時における設備投資を低減することができ、その結果、コスト（単価）を下げることができる。
【０００８】
また、単独で用いられる状態から子器とともに用いられる状態に変更する場合及び子器とともに用いられる状態から単独で用いられる状態に変更する場合、スイッチを新規に購入する必要がなく、これまで使用していたスイッチを再利用することができる。
【発明を実施するための最良の形態】
【０００９】
まず、本実施形態のスイッチＡの回路構成について図１，２を用いて説明する。このスイッチＡの回路は、図１に示すように、スイッチ本体１の回路と、ワイヤレスリモコン２の回路とからなる。なお、ワイヤレスリモコン２の回路は周知のものと同様であるため、説明を省略する。
【００１０】
スイッチ本体１は、３つの端子部（第１〜３の端子部）１０〜１２と、第１の端子部１０と第２の端子部１１の間に接続され第１の端子部１０と第２の端子部１１の間のオンオフを切り替えて交流電源ＡＣから照明負荷Ｌへの電源供給のオンオフを切り替えるトライアック（負荷開閉部）１３と、交流電源ＡＣからの交流電源を整流しスイッチＡ内の各部に駆動電源を供給する電源回路／制御回路１４と、ユーザによって照明負荷Ｌの電源供給要求及びその停止要求を行われる押釦スイッチ（操作部）１５と、内部接点部１６０の電圧値や押釦スイッチ１５への押操作によってトライアック１３を制御してこのトライアック１３のオンオフを切り替えるマイクロコンピュータ（制御手段）１６と、トライアック１３のオンオフ状態を報知する発光ダイオード１７と、第３の端子部１２と第２の端子部１１の間の接続と第３の端子部１２と内部接点部１６０の間の接続とを択一的に選択可能とするジャンパー線（接続部材）１８とを備えている。
【００１１】
トライアック１３は例えばシリコンなどの半導体によって形成されたものであり、第１の端子部１０を介して交流電源ＡＣ及び照明負荷Ｌと接続し、電源回路／制御回路１４からのゲート電流に応じて第１の端子部１０と第２の端子部１１の間のオンオフを切り替える。
【００１２】
マイクロコンピュータ１６は、ユーザにより押釦スイッチ１５が操作された場合、現在の照明負荷Ｌへの電源供給状態に基づいて、照明負荷Ｌへの電源供給を開始するように要求されたのか、照明負荷Ｌへの電源供給を停止するように要求されたのかを判定する。判定したマイクロコンピュータ１６は、判定結果に応じて、トライアック１３のゲートにパルス信号を供給することで、トライアック１３のアノードとカソードの間を導通するように制御したり、パルス信号の供給を停止することで、上記導通を停止するように制御したりする。これにより、押釦スイッチ１５への操作に応じて、交流電源ＡＣから照明負荷Ｌへの電源供給が制御される。
【００１３】
ところで、スイッチＡには、第１の端子部１０側から流れる電流を抵抗Ｒ１、ダイオードＤ１を介してベース電流とするトランジスタＴＲが設けられている。トランジスタＴＲはエミッタ接地され、コレクタ側がマイクロコンピュータ１６の検出ポートＰ２に接続されている。
【００１４】
マイクロコンピュータ１６は、検出ポートＰ２で検出される電圧値に応じて、内部接点部１６０の電圧値に基づいて、照明負荷Ｌへの電源供給を開始するように要求されたのか、照明負荷Ｌへの電源供給を停止するように要求されたのかを判定する。判定したマイクロコンピュータ１６は、判定結果に応じて、トライアック１３のゲートにパルス信号を供給することで、トライアック１３のアノードとカソードの間を導通するように制御したり、パルス信号の供給を停止することで、上記導通を停止するように制御したりする。これにより、内部接点部１６０の電圧値に基づいて、交流電源ＡＣから照明負荷Ｌへの電源供給が制御される。
【００１５】
上記のようにして、マイクロコンピュータ１６は、内部接点部１６０が電源電圧になったこと又は押釦スイッチ１５に対して操作が行われたことの何れかを検出するごとにトライアック１３を制御してこのトライアック１３のオンオフを切り替える。
【００１６】
ジャンパー線１８は、図１に示すように第３の端子部１２と内部接点部１６０の間に接続された場合、親器として子器Ｂとともに用いられる３路配線にすることができる一方、図２に示すように第３の端子部１２と第２の端子部１１の間に接続された場合、単独で用いられる配線にすることができる。
【００１７】
ここで、子器Ｂとともに用いた場合のスイッチＡの動作について図１を用いて説明する。先に、図１に示す子器Ｂの回路構成について説明する。子器Ｂは、常開型の押釦スイッチ３０を備え、端子部３１と端子部３２の間を主電流が流れる主電流配線が通過するように、端子部３２と端子部３３の間を主電流配線から分岐された分岐配線が通過するように３路配線されている。また、子器Ｂには、押釦スイッチ３０に対して並列に発光ダイオード３４、抵抗Ｒ２、ダイオードＤ２からなる直列回路が設けられている。
【００１８】
スイッチＡは子器Ｂとの間で、第２の端子部１１が端子部３１と接続し、第３の端子部１２が端子部３３と接続している。このようにスイッチＡと子器Ｂが接続されている場合、押釦スイッチ３０がオンに切り替わると、内部接点部１６０の電圧は交流電源ＡＣの電源電圧となる。これにより、トランジスタＴＲのベース電流が変化し、検出ポートＰ２で検出される電圧値が変化することによって、マイクロコンピュータ１６は、子器Ｂの押釦スイッチ３０においてユーザによる操作が行われたことを認識することができる。例えば、交流電源ＡＣから照明負荷Ｌへ電源供給されている場合、押釦スイッチ３０が操作されることで、照明負荷Ｌへの電源供給を停止するように要求されたことを意味する。逆に、交流電源ＡＣから照明負荷Ｌへの電源供給が停止されている場合、押釦スイッチ３０が操作されることで、照明負荷Ｌへの電源供給を開始するように要求されたことを意味する。
【００１９】
続いて、単独で用いた場合のスイッチＡの動作について図２を用いて説明する。スイッチＡは第１の端子部１０を交流電源ＡＣに接続し、第２の端子部１１を照明負荷Ｌに接続する。ここで、第２の端子部１１と第３の端子部１２はジャンパー線１８によって接続されているので、照明負荷Ｌに接続する端子部は第２の端子部１１ではなく、第３の端子部１２であってもよい。
【００２０】
図２の回路構成において、スイッチＡでは、ユーザにより押釦スイッチ１５が操作されると、マイクロコンピュータ１６が、現在の照明負荷Ｌへの電源供給状態に基づいて、交流電源ＡＣから照明負荷Ｌへ電源供給されている場合、照明負荷Ｌへの電源供給を停止するように要求されたと判断する一方、交流電源ＡＣから照明負荷Ｌへの電源供給が停止されている場合、照明負荷Ｌへの電源供給を開始するように要求されたと判断する。
【００２１】
次に、本実施形態のスイッチＡの構造について図３，４を用いて説明する。スイッチＡのスイッチ本体１は、図３に示すような縦長の略直方体状に形成されたものであり、図４に示すように、ボディ４０と、ボディ４０に組み立てられるカバー４１と、ボディ４０及びカバー４１に収納され、図１，２の回路を構成する例えばトライアック１３などの回路部品Ｃがプリント配線板４２０に実装された回路ブロック４２とを備えている。このスイッチ本体１には、ピアノハンドル（図示せず）が枢着される。
【００２２】
図４に示すボディ４０の背面４００には、電源線及び負荷線を内部の接続端子（図示せず）に接続するための複数の電線挿通孔４０１，４０１，…が形成されている。
【００２３】
一方、カバー４１の前面４１０には、上下方向における中間部の右側寄りの部位に、周囲にスリットを形成することで前面４１０に片持ち支持され、その自由端で押釦スイッチ１５を押駆動する撓み片４１１が形成されている。また、カバー４１の前面４１０には、上下方向における中央部の左側に発光ダイオード１７（図１，２参照）の発光面を外部に臨ませる丸孔４１２が形成されており、この丸孔４１２の下側に形成された開口４１３を通して受光素子（図示せず）の受光面が外部に露出している。さらに、カバー４１の前面４１０には、上下方向における中央部の左端に、横向となった軸部４１４，４１４が間隔を開けて２つ突設してあり、これらの軸部４１４，４１４は、上部が横向きの略円柱形状をしている。カバー４１の前面４１０には、上下両側部に横長の透孔がそれぞれ形成され、これらの透孔内に一端部が前面４１０に片持ち支持された矩形板状の弾性ばね片４１５，４１５が形成されており、各弾性ばね片４１５の自由端側は前方に突出して、ピアノハンドル（図示せず）の裏面の上下にそれぞれ当接し、ピアノハンドルを前方に押圧している。
【００２４】
回路ブロック４２のプリント配線板４２０には、図５に示すように、トライアック１３などの回路部品Ｃが実装されている。ジャンパー線１８は、第３の端子部１２と内部接点部１６０の間を接続する場合（図１参照）、図５（ａ）に示すようにプリント配線板４２０に実装され、第３の端子部１２と第２の端子部１１の間を接続する場合（図２参照）、図５（ｂ）に示すようにプリント配線板４２０に実装される。
【００２５】
続いて、ワイヤレスリモコン２の構成について図６を用いて説明する。ワイヤレスリモコン２のケース２０は合成樹脂により形成され、背面２００には、合成樹脂により板状に形成された可撓性を有するメンブレンシート２１（２１ａ）が貼り付けられている。また、ケース２０の上側面に設けた開口（図示せず）に臨んで発光ダイオード（図示せず）の発光面が配置されている。
【００２６】
このワイヤレスリモコン２はピアノハンドル（図示せず）に取り付けられる。具体的には、ワイヤレスリモコン２のケース２０内部に納装された鉄片（図示せず）がピアノハンドルに取着された永久磁石（図示せず）によって吸着されて、ワイヤレスリモコン２がピアノハンドルに保持される。この状態でワイヤレスリモコン２が押圧されると、ワイヤレスリモコン２の押力をピアノハンドルが受けて、スイッチ本体１の軸部４１４，４１４（図４参照）を中心に回転し、ピアノハンドルによって押釦スイッチ１５（図１，２参照）が押操作される。その後、ワイヤレスリモコン２を押す力がなくなると、押釦スイッチ１５に発生する復帰力や弾性ばね片４１５に発生する復帰力などを受けてピアノハンドルが復帰位置まで移動する。
【００２７】
一方、ワイヤレスリモコン２をピアノハンドルから外してリモコン操作を行う場合は、ワイヤレスリモコン２のケース２０の側面に突設された突条２２に手を掛けて、ケース２０を引っ張ると、ケース２０を容易に取り外すことができ、ケース２０を持ち運んでリモコン操作が行える。
【００２８】
ところで、ワイヤレスリモコン２には、照明負荷Ｌに対して、点灯及び消灯のみを操作できる切／入タイプと、点灯及び消灯だけでなく調光も操作できる調光タイプとがある。切／入タイプのワイヤレスリモコン２にはメンブレンシート２１ａが用いられ、調光タイプのワイヤレスリモコン２にはメンブレンシート２１が用いられる。
【００２９】
切／入タイプのメンブレンシート２１ａの表面にはドーム状に突出する操作凸部２１０が形成されており、各操作凸部２１０には操作内容を示す文字や記号が蓄光材料で印刷されている。操作凸部２１０が押圧されると、ケース２０に収納され照明負荷Ｌを点灯又は消灯させる信号をために用いられるスイッチ（図示せず）がオンになる。
【００３０】
これに対して、調光タイプのメンブレンシート２１の表面にはドーム状に突出する複数個の操作凸部２１０〜２１４が上下に並べて形成されており、各操作凸部２１０〜２１４には操作内容を示す文字や記号が蓄光材料で印刷されている。各操作凸部２１０〜２１４が押圧されると、ケース２０に収納されている各スイッチ（図示せず）がオンになる。
【００３１】
従来、切／入タイプのワイヤレススイッチと調光タイプのワイヤレススイッチとは異なる構成であり、ケース内のスイッチの位置が異なっていたため、図６の上段のように、異なるタイプのワイヤレススイッチでは、操作凸部の位置が異なっていた。その結果、切／入タイプ、調光タイプごとに作製しなければならず、設備投資が大きくなり、その結果、コスト（単価）を下げることができないという問題があった。
【００３２】
これに対して、本実施形態のワイヤレスリモコン２は、切／入タイプと調光タイプの両方を兼用できるもの、つまり回路構成や構造が同じものとしている。したがって、図６の下段に示すように、メンブレンシート２１，２１ａにおいて操作凸部２１０が同じ位置になっている。本実施形態のワイヤレスリモコン２は、メンブレンシート２１が貼られると切／入タイプとなり、メンブレンシート２１ａが貼られると調光タイプとなる。
【００３３】
上記より、同じ回路構成及び構造のものに対してメンブレンシート２１，２１ａを変更するだけでよいので、切／入タイプのものと調光タイプのものとを別々に作製する場合に比べて、コスト（単価）を下げることができる。また、切／入タイプから調光タイプに変更する場合及び調光タイプから切／入タイプに変更する場合、ワイヤレスリモコン２を新規に購入する必要がなく、これまで使用していたワイヤレスリモコン２のメンブレンシート２１，２１ａを貼りかえて再利用することができる。
【００３４】
以上、本実施形態によれば、図１に示すように単独で用いられる場合にはジャンパー線（接続部材）１８によって第３の端子部１２と第２の端子部１１の間の接続を選択する一方、図２に示すように子器Ｂとともに用いられる場合にはジャンパー線１８によって第３の端子部１２と内部接点部１６０の間の接続を選択することによって、単独で用いられるスイッチＡと子器Ｂとともに用いられるスイッチＡを共用化することができるので、２種類のスイッチを別々に作製する場合に比べて、作製時における設備投資を低減することができ、その結果、コスト（単価）を下げることができる。
【００３５】
また、単独で用いられる状態から子器Ｂとともに用いられる状態に変更する場合及び子器Ｂとともに用いられる状態から単独で用いられる状態に変更する場合、スイッチＡを新規に購入する必要がなく、これまで使用していたスイッチＡを再利用することができる。
【００３６】
（参考例）
本実施形態の参考例として、図７に示すように、ジャンパー線５を用いて子器Ｂを３路対応と４路対応の間で切り替えるものがある。ジャンパー線５は、３路対応として用いられる場合、図７（ａ）に示すようにプリント配線板５０に実装され、４路対応として用いられる場合、図７（ｂ）に示すようにプリント配線板５０に実装される。
【００３７】
このような構成によれば、子器Ｂにおいて、３路対応と４路対応を共用化することができるので、２種類の子器を別々に作製する場合に比べて、作製時における設備投資を低減することができ、その結果、コスト（単価）を下げることができる。
【００３８】
また、親器としてのスイッチＡのみと用いられる状態からスイッチＡ及び他の子器Ｂとともに用いられる状態に変更する場合並びにスイッチＡ及び他の子器Ｂとともに用いられる状態からスイッチＡのみと用いられる状態に変更する場合、子器Ｂを新規に購入する必要がなく、これまで使用していた子器Ｂを再利用することができる。また、図８に示すような回路を構成するには、２つの子器Ｂとして同じものを用意し、スイッチＡとともに交流電源ＡＣ及び照明負荷Ｌに接続すればよい。
【図面の簡単な説明】
【００３９】
【図１】実施形態のスイッチにおいて、子器とともに用いられる場合の回路図である。
【図２】同上のスイッチにおいて、単独で用いられる場合の回路図である。
【図３】同上のスイッチの外観図である。
【図４】同上のスイッチの分解斜視図である。
【図５】同上のスイッチの要部であって、（ａ）が子器とともに用いられる場合の外観図、（ｂ）が単独で用いられる場合の外観図である。
【図６】同上のスイッチにおいてワイヤレスリモコンの正面図である。
【図７】実施形態の参考例に係るスイッチの要部であって、（ａ）が３路対応の外観図、（ｂ）が４路対応の外観図である。
【図８】同上のスイッチを照明負荷と接続した場合の回路図である。
【図９】従来のスイッチを照明負荷と接続した場合であって、（ａ）が単独で用いられる場合の回路図、（ｂ）が子器とともに用いられる場合の回路図である。
【符号の説明】
【００４０】
１  スイッチ本体
１０  第１の端子部
１１  第２の端子部
１２  第３の端子部
１３  トライアック
１５  押釦スイッチ
１６  マイクロコンピュータ
１６０  内部接点部
１８  ジャンパー線
ＡＣ  交流電源
Ｌ  照明負荷
【図１】
0004867880.tif 000002
【図２】
0004867880.tif 000003
【図３】
0004867880.tif 000004
【図４】
0004867880.tif 000005
【図５】
0004867880.tif 000006
【図６】
0004867880.tif 000007
【図７】
0004867880.tif 000008
【図８】
0004867880.tif 000009
【図９】
0004867880.tif 000010